(57)【要約】【課題】軽量で腐食することなく植栽された植物や土壌が飛散することなく長年生育可能な壁面緑化用植栽容器の提供。【解決手段】硬質発泡スチロール材で浅底の容器を形成し、縁枠周りをＬ型鉄板で囲い、該縁枠周り部分と裏面をアスファルトルーフィングで覆って植栽容器とし、該植栽容器内に植生土を包み込める大きさで水や植物の芽を通し植生土を通さない不織布を敷き詰め、その上に枠壁に複数の孔を形成した井桁枠を収納し、該井桁枠内に植生土を覆土し、転圧後該不織布で包み込み表面を硬質の格子状ネットで覆い植栽容器全体をポリエチレン製のネットで覆ったことを特徴とした植栽容器。【選択図】図２
0003164778.tif 000002
【実用新案登録請求の範囲】
【請求項１】
硬質発泡スチロール材で浅底の容器を形成し、縁枠周りをＬ型鉄板で囲い、該縁枠周り部分と裏面をアスファルトルーフィングで覆って植栽容器とし、該植栽容器内に植生土を包み込める大きさで水や植物の芽を通し植生土を通さない不織布を敷き詰め、その上に枠壁に複数の孔を形成した井桁枠を収納し、該井桁枠内に植生土を覆土し、転圧後該不織布で包み込み表面を硬質の格子状ネットで覆い植栽容器全体をポリエチレン製のグリーンネットで覆ったことを特徴とした植栽容器。
【考案の詳細な説明】
【技術分野】
【０００１】
本考案は、壁面や屋根の上に設置して緑化を行う植栽容器に関するものである。
【背景技術】
【０００２】
近年、都市部の気温が周辺地域の気温に比べて高くなるヒートアイランド現象や建物の断熱性向上と景観の向上等を目的として屋上緑化の他に建物の壁面に設置される緑化設備が普及し始めている。
【０００３】
その一例として本考案者は、建物の壁面を緑化する方法として植生マット体に袋体入りの基盤土を一定間隔でハシゴ段状に取付け、さらに任意箇所に低木等を植栽する植栽鉢を形成した壁面用植栽マット体を発案し、この壁面用植栽マット体の平面部にセダムをハシゴ段状の袋状入り基盤土にはツタ植物を植栽鉢には低木や宿根草を植栽させ壁面へ固定しての緑化を図っている。
【０００４】
しかし、上記の壁面緑化方法は相当の重量になることから壁面へ多数設置した場合には荷重負荷が大きく、年月が経つにつれて強風等により基枠や壁面緑化盤が剥離する危険性と植栽土壌や植栽マット体に植栽されたセダムが飛散する危険性が懸念される等の課題があった。
【先行技術文献】
【特許文献】
【０００５】
【特許文献１】特開２０１０−２１３６２２号公報
【考案の概要】
【考案が解決しようとする課題】
【０００６】
軽量で腐食することなく植栽された植物や土壌が飛散することなく長年生育可能な壁面緑化用植栽容器の提供。
【課題を解決するための手段】
【０００７】
硬質発泡スチロール材で浅底の容器を形成し、縁枠周りをＬ型鉄板で囲い、該縁枠周り部分と裏面をアスファルトルーフィングで覆って植栽容器とし、該植栽容器内に植生土を包み込める大きさで水や植物の芽を通し、植生土を通さない不織布を敷き詰め、その上に枠壁に複数の孔を形成した井桁枠を収納し、該井桁枠内に植生土を覆土し、転圧後該不織布で包み込み表面を硬質の格子状ネットで覆い、植栽容器全体をポリエチレン製のネットで覆った軽量な植栽容器とする。なお、植生土は軽量で保水性の高い混合土を使用し、植栽植物は水をあまり必要とせず生育が可能な多肉植物のセダム類を植栽して壁面に設置する。
【考案の効果】
【０００８】
植栽容器が軽量で腐食しにくく縁枠周りをＬ型鉄板とアスファルトルーフィングで覆ったことにより、植栽容器が劣化や破損がしにくく長期使用が可能で、植生土を井桁枠で区切り不織布で包み込み、表面を二重のネットで押えつけているので、植生土が飛散や滑落することもなく、井桁枠壁に形成された複数の孔から全体に水が行き渡ると共に植栽された植物根も周囲に伸広し、垂直な壁面でも植栽植物が落下することがなく長期緑化が可能である。
【０００９】
断熱効果の高い発泡材で形成した植栽容器と植栽植物の組合せで、より一層の断熱効果が生まれ冷暖房費等の電気料を抑え、また保水性の高い植生土に植栽されるセダムは、水をあまり必要としない植物なので、水管理の経費削減が図れると共に従来の壁面装置より安価な価格で設置することができる植栽容器である。  
【図面の簡単な説明】
【００１０】
【図１】浅底容器から植栽容器を形成する説明図である。
【図２】植栽容器の内部に不織布と井桁枠を設置する説明図である。
【図３】植栽容器の説明図である。
【考案を実施するための形態】
【００１１】
本考案に係る植栽容器は、発泡材で形成した浅底容器と複数の孔を形成した井桁枠を容器内に納め、覆土される植生土と井桁枠を不織布で包み込み表面を硬質の格子状ネットで押さえポリエチレンのネットで全体を包み込みセダムを植栽した植栽容器。
【実施例】
【００１２】
以下、本考案について、実施例を図に基づいて詳細に説明する。
図１は、厚さ２５ミリ・長さ５０センチ四方の硬質発泡スチロール板１の縁周りに２５ミリ角の硬質発泡スチロール角材２を縁枠として接着した容器を形成し、該発泡スチロール角材２の相対する一対の表面にＬ型鉄板３を  また、残り一対の発泡スチロール角材２を接着した容器の裏面にＬ型鉄板３を配置する。発泡スチロール板１を挟む形となる四隅において上下二枚のＬ型鉄板３をボルト４にて固定して折損を防止した浅底容器５である。
なお、浅底容器は上記大きさや高さに限定されるものではない。
【００１３】
図２は、浅底容器の裏面と周囲を形成している縁枠の劣化と破損防止のためアスファルトルーフィング６で覆い、容器内には植生土を包み込める大きさで水や植物の芽を通し、植生土を通さないポリエステルの不織布７を敷き詰め、その上に覆土される植生土の移動と滑落を防止するために腐食しにくいアスファルトルーフィングか樹脂材等で植物根や水を通す複数の孔を形成した井桁枠８を浅底容器内の不織布の上に収納する。
【００１４】
図３は、図２で設置した井桁枠内に圧縮比３０％分を加算した植生土（ココピート・バーク堆肥・水苔・オガ粉・良質土の混合に有機肥料・遅効性肥料・化成肥料を添加）を覆土し、井桁枠高まで転圧後、容器内に敷き詰めてある不織布で植生土が飛散しないように井桁枠ごと植生土を包み込み、表面を１センチ角の硬質ネット９（商品名トリカルネット）で覆い、その上を浅底容器ごと３センチ角のポリエチレン製グリーンネット１０で包み込み、結束紐で該浅底容器の裏側で結束し、さらに複数の金属線１１を表面から裏面に貫通させ、表面と裏面のネットに張詰結束固定（または、金属線の変わりにボルトとワッシャー・ナットを用いて表面と裏面のネットを固定）して不織布・井桁枠・二枚のネットで植生土を保護する植栽容器１２とする。  
【産業上の利用可能性】
【００１５】
容器内に収納された植生土や植栽された植物は、不織布と井桁枠等により垂直な面でも飛散や滑落することなく、長期生育が可能な植栽容器で従来の壁面緑化装置より安価で設置することができ、荷重制限が厳しい既存建物の屋上や屋根緑化の緑化装置としても大いに利用される可能性の高い植栽容器である。
【符号の説明】
【００１６】
１    発泡スチロール板
２    発泡スチロール角材
３    Ｌ型鉄板
４    ボルト
５    浅底容器
６    アスファルトルーフィング
７    不織布
８    井桁枠
９    硬質ネット
１０    グリーンネット
１１    金属線
１２    植栽容器
【図１】
0003164778.tif 000003
【図２】
0003164778.tif 000004
【図３】
0003164778.tif 000005